(57)【要約】【課題】  平地と傾斜地の双方に支柱と格子体の上端を同一高さに設置し得るようにした外観のよいフェンスを提供する。【解決手段】  異高複数種の支柱１と異高複数種の格子体２とを組合せ使用して，支柱１の両側の開口内にその横断方向に設けた挟持条１３を挟持して該支柱１の長手方向適宜位置上下に挟持金具３を設置し，その胴縁連結金具３３に格子体２の両側に突出した胴縁２２をネジ５止めし且つ支柱１の残余の開口に閉塞プレート４をスナップイン係止によって装着して該開口を塞ぐようにする。これによって平地，傾斜地の如何を問わずに支柱１と格子体２の上端が水平に揃ったフェンスとすることができる。【選択図】  図２
2007191986.tif 000002
【特許請求の範囲】
【請求項１】
両側面をそれぞれ開口した断面Ｈ字状にして各開口端にスナップイン係止部を有するとともに該開口の奥行方向中間から該開口横断方向に対向する各一対の挟持条を突設した同一断面形状にして長さを違えた異高複数種の支柱と，多数の縦桟を上下の胴縁で連結形成した同一形状又はその胴縁の位置を違えた類似形状とする異高複数種の格子体と，ネジ受プレートと該ネジ受プレートに基板をネジ締着することによって上記支柱における一対の挟持条を挟持するとともに該基板から突設して上記格子体の胴縁にネジ固定する固定突片を具備した胴縁連結金具を対とする挟持金具と，上記支柱における開口端のスナップイン係止部にスナップイン係止することによって上記挟持金具における胴縁を固定した胴縁連結金具位置以外の支柱開口を閉塞した各開口長手方向に複数本の閉塞プレートとを備えてなり，上記異高複数種の支柱と異高複数種の格子体とを組合せ使用することによって平地及び傾斜地にその上端を幅方向に同一高さに設置自在としてなることを特徴とするフェンス。
【発明の詳細な説明】
【技術分野】
【０００１】
本発明はフェンスに関し，特に平地と傾斜地のいずれに用いても上端を幅方向水平に連続するように起立高さを一致して設置自在としたフェンスに関する。
【背景技術】
【０００２】
平地及び傾斜地にフェンスを設置するについて，ボルト用の透孔を透設した取付金具を両側面に適宜間隔に備えた断面円形にして同高単一種の金属製支柱と，断面Ｌ字状の縦枠及び横枠を枠組みした矩形枠にネットを張設しその縦枠の正面と側面に所定ピッチ多数のボルト用の透孔を透設した同高単一種のネット体とを備えてなり，所定間隔に配置した支柱に複数のネット体を配置し，支柱の取付金具の透孔とネット体の縦枠正面の透孔及び隣接するネット体の各縦枠側面の透孔にそれぞれボルトを挿通してナットを締着することによってこれら支柱とネット体及びネット体同士を連結して設置するものとされている。
【０００３】
【特許文献１】特開平８−１９９８６４号公報
【発明の開示】
【発明が解決しようとする課題】
【０００４】
この場合，同高単一種の金属製支柱と同じく同高単一種のネット体を平地では，その上端が幅方向に同一高さとなるが，傾斜地（階段を含む。以下同じ）ではその勾配に応じて支柱及びネット体の位置が高くなるために，上端が幅方向に異なる高さとなり，例えば上記特許文献のように風防の目的であればよいとしても，通常一般に用いられる格子デザインのフェンスにあっては，外観が損われて見苦しいものとなる。
【０００５】
本発明はかかる事情に鑑みてなされたもので，その解決課題とするところは，平地と傾斜地の双方にそれぞれ上端を同一高さに設置し得るようにするとともにその設置を可及的に容易且つ確実に無し得るようにした外観のよいフェンスを提供するにある。
【課題を解決するための手段】
【０００６】
上記課題に沿って本発明は，異高複数種の支柱と同じく異高複数種の格子体とを組合せるとともに支柱と格子体の連結を，支柱長手方向適宜位置に設置可能な挟持金具を用い，該挟持金具の胴縁連結金具に格子体の胴縁をネジ止めして行うとともに挟持金具を設置した以外の支柱の開口をスナップイン係止による閉塞プレートで閉塞することによって，平地と傾斜地の如何を問わずに上端を同一高さにして外観のよいフェンスを容易且つ確実に設置し得るようにしたものであって，即ち本発明を，両側面をそれぞれ開口した断面Ｈ字状にして各開口端にスナップイン係止部を有するとともに該開口の奥行方向中間から該開口横断方向に対向する各一対の挟持条を突設した同一断面形状にして長さを違えた異高複数種の支柱と，多数の縦桟を上下の胴縁で連結形成した同一形状又はその胴縁の位置を違えた類似形状とする異高複数種の格子体と，ネジ受プレートと該ネジ受プレートに基板をネジ締着することによって上記支柱における一対の挟持条を挟持するとともに該基板から突設して上記格子体の胴縁にネジ固定する固定突片を具備した胴縁連結金具を対とする挟持金具と，上記支柱における開口端のスナップイン係止部にスナップイン係止することによって上記挟持金具における胴縁を固定した胴縁連結金具位置以外の支柱開口を閉塞した各開口長手方向に複数本の閉塞プレートとを備えてなり，上記異高複数種の支柱と異高複数種の格子体とを組合せ使用することによって平地及び傾斜地にその上端を幅方向に同一高さに設置自在としてなることを特徴とするフェンスとし，これを発明の要旨として上記課題解決の手段としたものである。
【発明の効果】
【０００７】
本発明は以上のとおりに構成したから，異高複数種の支柱と同じく異高複数種の格子体とを組合わせるとともに支柱と格子体の連結を，支柱長手方向適宜位置に設置可能な挟持金具を用い，該挟持金具の胴縁連結金具に格子体の胴縁をネジ止めして行うとともに挟持金具を設置した以外の支柱の開口をスナップイン係止による閉塞プレートで閉塞することによって，平地と傾斜地の如何を問わずに上端を同一高さにして外観のよいフェンスを容易且つ確実に設置し得るようにしたフェンスを提供することができる。
【発明を実施するための最良の形態】
【０００８】
以下図面の例に従って本発明を更に具体的に説明すれば，Ａは格子デザインのフェンスであり，該フェンスＡは，異高複数種の支柱１と，異高複数種の格子体２と，挟持金具３，閉塞プレート４とを備え，上記異高複数種の支柱１と異高複数種の格子体２とを組合せ使用することによって平地及び傾斜地にその上端を幅方向に同一高さに設置自在としたものとしてあり，本例にあって該フェンスＡは，その上記支柱１，格子体２及び閉塞プレート４をアルミ押出材によって形成したアルミ押出材製のものとしてある。
【０００９】
異高複数種の支柱１は，両側面をそれぞれ開口した断面Ｈ字状にして各開口端にスナップイン係止部１４を有するとともに該開口の奥行方向中間から該開口横断方向に対向する各一対の挟持条１３を突設した同一断面形状にして長さを違えたものとしてあり，異高複数種の格子体２は，多数の縦桟２１を上下の胴縁２２で連結形成した同一正面形状又はその胴縁の位置を違えた類似正面形状のものとしてあり，挟持金具３は，ネジ受プレート３１と胴縁連結金具３３を対とし，該胴縁連結金具３３を，上記ネジ受プレート３１にその基板３４をネジ５締着することによって上記支柱１における一対の挟持条１３を挟持するとともに該基板３４から突設して上記格子体の胴縁にネジ固定する固定突片３６を具備したものとしてあり，閉塞プレート４は，上記支柱１における開口端のスナップイン係止部１４にスナップイン係止することによって上記挟持金具３における胴縁２２を固定した胴縁連結金具３３位置以外の支柱開口を閉塞した各開口長手方向に複数本のものとしてある。
【００１０】
即ち支柱１は，前後の中空基部１１を連結条１２で連結し両側面を開口した断面Ｈ字状とし，中空基部１１から開口横断方向に向けて連結条１２と平行にして相互の間隔を空けた短寸の挟持条１３を突出することによって，挟持金具３のネジ受プレート３１を挟持条１３の裏側に裏板としてスライド自在に配置し，挟持条１３の表側に胴縁連結金具３３を配置し，該胴縁連結金具３３の基板３４から上記空間を通過するネジ５によってネジ受プレート３１と該胴縁連結金具３３を締着し得るようにしてあり，また上記挟持条１３位置より開口の外側をなす開口端にスナップイン係止部１４を小突出するように形成し，上記閉塞プレート４をスナップイン係止自在としてある。
【００１１】
格子体２は，胴縁２２位置で該胴縁２２を受入れるように割型一方の押出材に切欠加工を施し割型他方の押出材をプレート状として前後に割型として形成した同一断面形状多数の縦桟２１と，該縦桟２１を幅方向に連結する同じく同一断面形状上下２本の胴縁２２とを，これらの交点でそれぞれ固定することによって縦格子をなすように形成する一方，その胴縁２２を端部位置の縦桟２１より幅方向両側に突出するとともに該胴縁２２の突出部分前後の面内にそれぞれネジ用の透孔２３を透設したものとしてある。このとき縦桟２１はその配置ピッチを相互に同一とするとともに胴縁２２の高さ位置を複数種の格子体２に共通とすることによって該複数種の格子体２を同一形状にして異高のものとし，また図示例のように複数種の格子体２に異なる位置とすることによって該複数種の格子体２を類似形状にして異高のものとしてある。
【００１２】
挟持金具３のネジ受プレート３１は，上記支柱１における開口の対向する一対の挟持条１３の裏側に該挟持条１３に跨った遊嵌状の配置を可能とする横幅を有するとともにその上下にタップ切りしたネジ受用一対の螺孔３２を透設したものとし，また胴縁連結金具３３は，同様に，上記対向する一対の挟持条１３の表側に該挟持条１３に跨った対接状の配置を可能とする横幅を有するとともに上記螺孔３２に対応する位置にネジ挿通用の透孔３５を透設した基板３４と，該基板３４の両側に該基板３４に直交し先端を対向方向に傾斜した一対の固定突片３６を起立配置するとともに各固定突片３６の面内にはそれぞれタップ切りしたネジ受用の螺孔３７を透設したものとしてある。
【００１３】
閉塞プレート４は，支柱１の開口端の幅に合せた閉塞基板４１と該閉塞基板の両側に起立しそれぞれ先端に上記開口端のスナップイン係止部１４と対をなすスナップイン係止部４２を配置した小突起を備えて断面コ字状に形成したものとしてある。
【００１４】
これらを用いたフェンスＡの組立は，地表の水平，傾斜のそれぞれ起立位置に同一高さとするようにそれぞれの長さに合せて支柱１を垂直に起立固定し，各支柱１の，例えば上端からその挟持条１３の裏側に挟持金具３のネジ受プレート３１をスライドして所定高さ位置に手持ちし，挟持条１３の表側に胴縁連結金具３３を対接して，該胴縁連結金具３３における基板３４の上下の透孔３５からネジ受プレート３１の上下の螺孔３２にそれぞれネジ５を螺入して支柱１にその開口から固定突片３６が突出するように各挟持金具３を設置し，その胴縁連結金具３３の固定突片３６を格子体２における胴縁２２の端部からその中空部に嵌挿し，胴縁２２の端部縦桟２１から突出した突出部分の透孔２３から固定突片３６の螺孔３７にネジ５を螺入して，該挟持金具３を介して格子体２を，その上下の胴縁２２部分で固定支持するとともに支柱の上記挟持金具３における胴縁２２を固定した胴縁連結金具３３位置以外の開口にそれぞれ閉塞プレート４をスナップイン係止してこれを閉塞することによって行うものとしてある。
【００１５】
このとき支柱１への挟持金具３の設置を，例えばネジ受プレート３１に胴縁連結金具３３を仮止めし，その支柱１に対する高さをスライド調整した後にこれらを本止めすることによって，その位置を，支柱１の上端と格子体２の上端とを一致させた各上下の胴縁２２の高さ位置として，該格子体２の胴縁２２を該挟持金具３の胴縁連結金具３３にネジ５止めするようにすれば，上記平地及び傾斜地にその上端を幅方向に同一高さに格子体を設置することができる。
【００１６】
図中１５は支柱１の上端を塞ぐ塞ぎプレートを示す。
【００１７】
以上のように形成した本例のフェンスＡは，異高複数種の支柱１と異高複数種の格子体２とを組合せ，支柱１長手方向適宜位置に挟持金具３を設置して，その胴縁連結金具３３に格子体２の胴縁２２をネジ５止めし且つ支柱１の残余の開口に閉塞プレート４をスナップイン係止によって装着して該開口を閉塞することにより，平地と傾斜地の双方に支柱１及び格子体２の上端が同一高さの水平に揃った状態で設置することができるとともに，フェンスＡの設置は，支柱１を挟持するように挟持金具３のネジ５止め，その胴縁連結金具３３と胴縁２２のネジ止め及び閉塞プレート４のスナップイン係止によって容易且つ確実に行うことができ，また胴縁連結金具３３にネジ５止めした胴縁２２端部に閉塞プレート４が対接するように位置してアルミ押出材が交差した良好な外観を得ることができる。
【００１８】
図示した例は以上のとおりとしたが，異高複数種の支柱と異高複数種の格子体をそれぞれ多数規格化し，これらを平地及び傾斜地に合せて選択的に使用することによって上端を合せたフェンスを形成すること，支柱と格子体の上端を，支柱が上方に突出するようにして，支柱及び格子体のそれぞれの上端を幅方向同一高さとすること等を含めて，本発明の実施に当って，支柱，格子体，挟持金具，閉塞プレート等の各具体的形状，構造，材質，これらの関係，これらに対する付加等は，上記発明の要旨に反しない限り様々な形態のものとすることができる。
【図面の簡単な説明】
【００１９】
【図１】フェンスの設置状態を示す正面図である。
【図２】フェンスと支柱との関係を示す分解斜視図である。
【図３】支柱の横断面図である。
【図４】閉塞部材の横断面図である。
【図５】ネジ受プレートの正面図である。
【図６】ネジ受プレートの側面図である。
【図７】胴縁連結金具の正面図である。
【図８】胴縁連結金具の側面図である。
【図９】胴縁連結金具の底面図である。
【符号の説明】
【００２０】
Ａ  フェンス
１  支柱
１１  中空部
１２  連結条
１３  挟持条
１４  スナップイン係止部
１５  塞ぎプレート
２  格子体
２１  縦桟
２２  胴縁
２３  透孔
３  挟持金具
３１  ネジ受プレート
３２  螺孔
３３  胴縁連結金具
３４  基板
３５  透孔
３６  固定突片
３７  螺孔
４  閉塞プレート
４１  閉塞基板
４２  スナップイン係止部
５  ネジ
【図１】
2007191986.tif 000003
【図２】
2007191986.tif 000004
【図３】
2007191986.tif 000005
【図４】
2007191986.tif 000006
【図５】
2007191986.tif 000007
【図６】
2007191986.tif 000008
【図７】
2007191986.tif 000009
【図８】
2007191986.tif 000010
【図９】
2007191986.tif 000011